(57)【要約】【課題】ネットワーク機器の位置にあわせて接続モジュールの位置を容易に変更できる配線システムを提供する。【解決手段】配線システムは、低圧電力を供給する電力路および情報信号を伝送する情報路を構成する棒状の導電体６ａ，６ｂ、並びに、造営材１００に取着され導電体６ａ，６ｂが露出した状態で並行に配設された配線モジュール本体５を具備した配線モジュール４と、配線モジュール本体５に対して着脱自在に取り付けられるとともに、導電体６ａ，６ｂに電気的に接続される接点部１７ａ，１７ｂを有し、接点部１７ａ，１７ｂを介して電力の受電および情報信号の授受を行う接続モジュール７と、接続モジュール７を介して導電体６ａ，６ｂに電気的に接続され、接続モジュール７を介して電力の受電および情報信号の授受を行うネットワーク機器８とを備える。【選択図】図１
2008251504.tif 000002
【特許請求の範囲】
【請求項１】
低圧電力を供給する電力路および住戸内の通信ネットワークに接続されるネットワーク機器が授受する情報信号を伝送する情報路を構成する棒状の複数の導電体、並びに、造営面に取着され前記複数の導電体が露出した状態で並行に配設された配線モジュール本体を具備した配線モジュールと、
前記配線モジュール本体に対して着脱自在に取り付けられるとともに、導電体に電気的に接続される接続手段を有し、当該接続手段を介して電力の受電および情報信号の授受を行う接続モジュールと、
前記接続モジュールを介して前記電力路および情報路に接続され、接続モジュールを介して電力の受電および情報信号の授受を行うネットワーク機器とを備えて成ることを特徴とする配線システム。
【請求項２】
前記接続モジュールは、情報路とネットワーク機器との間で情報信号のプロトコル又は情報信号を伝送する媒体の少なくとも何れか一方を変換する信号変換機能と、電力路を通じて供給される低圧電力を所望の電力に変換してネットワーク機器に供給する電力変換機能の内、少なくとも何れか一方の機能を有することを特徴とする請求項１記載の配線システム。
【請求項３】
前記ネットワーク機器が、ローカルエリアネットワークに用いられる通信機器からなることを特徴とする請求項１又は２記載の配線システム。
【請求項４】
前記接続モジュールと当該接続モジュールに接続される前記ネットワーク機器との間を電気的に接続する電線の余長分を収納する余長電線収納部を前記配線モジュールに設けたことを特徴とする請求項１乃至３の何れか１項に記載の配線システム。
【請求項５】
前記接続モジュールに接続されたネットワーク機器を載置する載置台を、前記配線モジュール本体と一体に設けたことを特徴とする請求項１乃至４の何れか１項に記載の配線システム。
【発明の詳細な説明】
【技術分野】
【０００１】
本発明は、配線システムに関するものである。
【背景技術】
【０００２】
従来、公衆電話回線に接続するためのモジュラジャックや、宅内に配線されたＬＡＮ配線に接続するためのＬＡＮ用コンセントを備えた情報コンセントが提供されている（例えば特許文献１参照）。
【特許文献１】特開２００５−１１６４６４号公報（段落［００１４］−［００２１］、及び、第１図）
【発明の開示】
【発明が解決しようとする課題】
【０００３】
上述の情報コンセントは、例えば壁の予め決まった位置に固定されているため、情報コンセントの取付位置を容易に移動させることはできず、部屋内のレイアウト変更などでネットワーク機器（例えばハブ、ルータ、或いはＡＤＳＬモデムなど）の位置が変更された場合には、ネットワーク機器と情報コンセントとの間を接続するケーブルの配線長が長くなり、配線の処理に手間がかかったり、配線を引っ掛けたり、踏んだりして配線が断線する可能性もあった。また、ネットワーク通信の機能を備えた照明器具やセンサなどの機器を設置する場合にも、その設置位置が情報コンセントの取付位置によって制約されるため、自由な位置に設置できないという問題があった。
【０００４】
本発明は上記問題点に鑑みて為されたものであり、その目的とするところは、ネットワーク機器の位置にあわせて接続モジュールの位置を容易に変更できる配線システムを提供することにある。
【課題を解決するための手段】
【０００５】
上記目的を達成するために、請求項１の発明は、低圧電力を供給する電力路および住戸内の通信ネットワークに接続されるネットワーク機器が授受する情報信号を伝送する情報路を構成する棒状の複数の導電体、並びに、造営面に取着され表面に複数の導電体が露出した状態で並行に配設された配線モジュール本体を具備した配線モジュールと、配線モジュール本体に対して着脱自在に取り付けられるとともに、導電体に電気的に接続される接続手段を有し、当該接続手段を介して電力の受電および情報信号の授受を行う接続モジュールと、接続モジュールを介して電力路および情報路に接続され、接続モジュールを介して電力の受電および情報信号の授受を行うネットワーク機器とを備えて成ることを特徴とする。
【０００６】
請求項２の発明は、請求項１の発明において、接続モジュールは、情報路とネットワーク機器との間で情報信号のプロトコル又は情報信号を伝送する媒体の少なくとも何れか一方を変換する信号変換機能と、電力路を通じて供給される低圧電力を所望の電力に変換してネットワーク機器に供給する電力変換機能の内、少なくとも何れか一方の機能を有することを特徴とする。
【０００７】
請求項３の発明は、請求項１又は２の発明において、ネットワーク機器が、ローカルエリアネットワークに用いられる通信機器からなることを特徴とする。
【０００８】
請求項４の発明は、請求項１乃至３の何れか１つの発明において、接続モジュールと当該接続モジュールに接続されるネットワーク機器との間を電気的に接続する電線の余長分を収納する余長電線収納部を配線モジュールに設けたことを特徴とする。
【０００９】
請求項５の発明は、請求項１乃至４の何れか１つ発明において、接続モジュールに接続されたネットワーク機器を載置する載置台を、配線モジュール本体と一体に設けたことを特徴とする。
【発明の効果】
【００１０】
請求項１の発明によれば、住戸内の通信ネットワークに接続されるネットワーク機器は接続モジュールを介して電力の受電および情報信号の授受を行っており、接続モジュールは、配線モジュール本体に対して着脱自在に取り付けられるから、ネットワーク機器の設置場所の近傍に接続モジュールを取り付けて使用することができる。したがって、ネットワーク機器の設置位置に合わせて接続モジュールの位置を容易に変更することができ、ネットワーク機器の設置位置の自由度が向上するという効果がある。
【００１１】
請求項２の発明によれば、接続モジュールに信号変換機能又は電力変換機能の何れかの機能を持たせることで、接続モジュールに接続されるネットワーク機器に信号変換機能或いは電力変換機能を持たせる必要がないという効果がある。
【００１２】
請求項３の発明によれば、ローカルエリアネットワークに用いられる通信機器を所望の場所に設置して使用することができる
請求項４の発明によれば、電線の余長分を余長電線収納部に収納することで、ネットワーク機器に接続される電線が乱雑に配線されることがなく、電線を纏まりよく配線することができる。
【００１３】
請求項５の発明によれば、配線モジュール本体に設けた載置台にネットワーク機器を載置することにより、接続モジュールとネットワーク機器との間の配線長を短くして、纏まりよく配線を行うことができ、ネットワーク機器の設置場所を別途確保する必要もないので、ネットワーク機器の設置作業の作業性を向上させることができる。
【発明を実施するための最良の形態】
【００１４】
以下に本発明の実施の形態を図面に基づいて説明する。
【００１５】
図６に本実施形態の配線システムのシステム構成を示す。この配線システムでは建物内の適所に配電ボックス１を配設してあり、この配電ボックス１の内部に、外部から住宅に供給される商用電源ＡＣを一次側に受ける主幹ブレーカＭＢと、主幹ブレーカＭＢの二次側から分岐した電路に介挿される複数の分岐ブレーカＢＢとを収納してある。また配電ボックス１の内部には、分岐ブレーカＢＢの二次側に設けられて交流電源を所望の電圧値（例えばＤＣ２４Ｖ）の直流電源に変換するＡＣ／ＤＣコンバータ２が配置されており、ＡＣ／ＤＣコンバータ２の出力は屋内に配線された電力線Ｌ１を介して各部屋Ｒ１，Ｒ２に供給されている。さらに配電ボックス１の内部には、インターネット網ＮＴに接続されるゲートウェイＧＷ（ルータ、ハブ内蔵）と、ゲートウェイＧＷを介して授受される信号と電力線Ｌ１に重畳して送受信される信号との間で信号形式（プロトコル）又は伝送媒体のうち少なくとも何れか一方を変換するメディアコンバート部３とを収納してある。
【００１６】
一方、建物内の各部屋Ｒ１，Ｒ２には、各部屋Ｒ１，Ｒ２内に導入された２線の電力線Ｌ１にそれぞれ電気的に接続される導電体６ａ，６ｂを配線モジュール本体５に配設してなる配線モジュール４がそれぞれ配設されている。配線モジュール４には、ＡＤＳＬモデムのようなネットワーク機器８が接続ケーブル９を介して接続される接続モジュール７が、配線モジュール４の所望の位置に着脱自在に取着されている。接続モジュール７は、図１に示すように導電体６ａ，６ｂに電気的に接続される接点部１７ａ，１７ｂ（接続手段）を有し、これらの接点部１７ａ，１７ｂを介して導電体６ａ，６ｂに電気的に接続されて、電力の受電および情報信号の授受を行えるようになっており、ネットワーク機器８は接続モジュール７を介して電力の受電および情報信号の授受を行うのである。
【００１７】
配線モジュール４は、図１および図２に示すように、前面の上下方向中間部が前方に膨出するような形状に形成されて、壁面のような造営材１００に取着される横長の配線モジュール本体５を備えている。配線モジュール本体５の短幅方向における中間部には長手方向に沿って延びる凹溝１０が形成されている。凹溝１０の上下両端面には奥側部位に凹部１０ａ，１０ｂがそれぞれ形成してあり、凹溝１０の奥側は開口側に比べて溝幅が幅広に形成されている。そして、上下の凹部１０ａ，１０ｂ内には、それぞれ矩形板状に形成された導電体６ａ，６ｂが配置されている。つまり、導電体６ａ，６ｂは、凹溝１０内に臨ませた状態で凹部１０ａ，１０ｂ内に配置されている。
【００１８】
また配線モジュール本体５の上側部分は中空に形成されて、この中空部分が配線の余長分を収容する余長電線収容部１１になっている。余長電線収容部１１の前面側を覆う前壁１２は断面円弧状に湾曲しており、その上端部は複数箇所でヒンジ１３を介して配線モジュール本体５に連結されている。つまり前壁１２は余長電線収容部１１を塞ぐ位置（図１に示す位置）と、余長電線収容部１１を開放する位置（図２（ｂ）に示す位置）との間で開閉自在となっている。なお、前壁１２の下側縁には、前壁１２を閉じた際に配線モジュール本体５との間に隙間を形成するための凹部１４を形成してあり、この凹部１４を通して接続ケーブル９を余長電線収容部１１の内側に導入したり、余長電線収容部１１から外側へ導出することができるようになっている。
【００１９】
一方、接続モジュール７は略直方体状に形成され、背面側には凹溝１０内に挿入される突出部１５が突設されている。突出部１５の先端側の上下両側部には凹部１０ａ，１０ｂ内に挿入される係止突部１６，１６が突設されており、各係止突部１６，１６には導電体６ａ，６ｂに摺接する接点部１７ａ，１７ｂが配設されている。而して、配線モジュール４の長手方向における一端側から、凹部１０ａ，１０ｂと係止突部１６，１６の位置を合わせて、凹溝１０内に突出部１５を挿入すると、凹部１０ａ，１０ｂの周縁部に係止突部１６，１６が係止することで、接続モジュール７が配線モジュール４に対してスライド移動自在に保持されるとともに、接点部１７ａ，１７ｂが導電体６ａ，６ｂに対して電気的に接続されるのである。
【００２０】
図７は接続モジュール７の概略ブロック図であり、接続モジュール７は、電力線Ｌ１に重畳して送受信される信号とネットワーク機器８から入出力される信号との間で信号形式又は信号媒体のうち少なくとも何れか一方を変換するメディアコンバート部２１と、導電体６ａ，６ｂを通じて供給される低圧電力を所望の電力に変換してネットワーク機器８に供給する電力変換部２２とを備えている。
【００２１】
また、接続モジュール７の上面には例えばモジュラジャックのような接続コネクタ（図示せず）が配設されており、両端にモジュラプラグ１９が結線された接続ケーブル９の一方のモジュラプラグ１９を上記接続コネクタに接続するとともに、接続ケーブル９の他方のモジュラプラグ１９をネットワーク機器８の備えるコネクタ部（図示せず）に接続することで、ネットワーク機器８と接続モジュール７との間が接続ケーブル９を介して電気的に接続される。
【００２２】
而して、本配線システムを使用するにあたっては、先ず部屋Ｒ１，Ｒ２内の適所に配線モジュール４を配設し、配線モジュール４に設けた導電体６ａ，６ｂを各部屋Ｒ１，Ｒ２内に導入された２線の電力線Ｌ１にそれぞれ電気的に接続する。
【００２３】
そして、配線モジュール４に接続モジュール７を取り付ける際には、配線モジュール４の一方の端から、凹部１０ａ，１０ｂと係止突部１６，１６の位置を合わせて、凹溝１０内に突出部１５を挿入すると、凹部１０ａ，１０ｂの周縁部に係止突部１６，１６が係止することで、接続モジュール７が配線モジュール４に対してスライド移動自在な状態で配線モジュール４に取着される。尚、この取付状態においては接続モジュール７の係止突部１６，１６が凹部１０ａ，１０ｂの周縁部とそれぞれ係止しているので、接続モジュール７の器体が上下方向および前後方向において位置決めされている。
【００２４】
ここで、接続モジュール７とネットワーク機器８との間を接続ケーブル９を介して接続すると、ネットワーク機器８が接続モジュール７を介して電力の受電および情報信号の授受を行うのである。したがって、ネットワーク機器８の設置位置に合わせて接続モジュール７を配線モジュール４の長手方向に沿ってスライド移動させることで、ネットワーク機器８と接続モジュール７との間を接続する接続ケーブル９の配線長を短くできるとともに、ネットワーク機器８の設置位置の自由度が向上するという効果がある。尚、ネットワーク機器８としては、ローカルエリアネットワークに用いられるハブやルータなどの通信機器でも良く、このような通信機器を所望の場所に設置して使用することができる。したがって、通信機器とパーソナルコンピュータとの間の配線長ができるだけ短くなるような設置位置に通信機器を設置することができる。
【００２５】
また、接続モジュール７とネットワーク機器８との間を接続ケーブル９を介して接続した状態で、前壁１２を開いて接続ケーブル９の余長分を余長電線収容部１１に収容した後、前壁１２を閉じて接続ケーブル９を凹部１４内に通すことで、接続ケーブル９の余長分を余長電線収容部１１に収容でき、接続ケーブル９の余長分を纏まりよく配線することができ、接続ケーブル９が乱雑に配線されるのを防止することができる。
【００２６】
また、上述の配線モジュール４において、図４（ａ）に示すように電線の余長分を巻き付ける電線巻取体１８を余長電線収容部１１内に着脱自在に取り付けるようにしても良い。電線巻取体１８は、略円筒状の巻取筒１８ａの軸方向両端部に鍔部１８ｂ，１８ｂを設けてあり、両鍔部１８ｂ，１８ｂの間に電線を巻き付けるようになっている。一方、余長電線収容部１１の内側壁には、外径が巻取筒１８ａの取付孔１８ｃの内径よりも若干小さい寸法に設定された円柱状の係合突部１１ａが複数突設されており、取付孔１８ｃに係合突部１１ａを挿入することで電線巻取体１８が余長電線収容部１１内に着脱自在に取着されるようになっている。なお、図４（ｂ）に示すように余長電線収容部１１の内側壁に係合孔１１ｃを有する突起部１１ｂを形成すると共に、係合孔１１ｃに係合される係合突部（図示せず）を電線巻取体１８側に設け、係合孔１１ｃ内に係合突部を嵌合させることによって、電線巻取体１８を余長電線収容部１１内に着脱自在に取り付けるようにしても良い。
【００２７】
また、図５に示すように上述の配線モジュール４において、配線モジュール本体５の下部に造営材１００に対して直交する方向に突出する載置台２０を一体に設けても良く、接続モジュール７に接続ケーブル９を介して接続されたネットワーク機器８を載置台２０に載置することによって、接続モジュール７とネットワーク機器８との間の配線長をさらに短くして、纏まりよく配線を行うことができる。また、ネットワーク機器８の設置場所を別途確保する必要もないので、ネットワーク機器８の設置作業の作業性を向上させることができる。
【００２８】
ところで、上述の実施形態ではネットワーク機器８としてモデムやハブやルータなどの通信機器を例に説明したが、図８に示すようにネットワーク機器として、ネットワーク通信の機能を有する照明モジュール３０ａやセンサモジュール３０ｂを用いても良く、ネットワーク通信の機能を有する照明モジュール３０ａやセンサモジュール３０ｂなどのネットワーク機器を自由な位置に取り付けて使用することができる。
【００２９】
照明モジュール３０ａおよびセンサモジュール３０ｂの器体３１は、扁平な直方体状であって、接続モジュール７の前面に図示しない取付手段を介して接続されている。接続モジュール７の前面および器体３１の後面にはそれぞれ導電部材が配置され、各モジュール３０ａ，３０ｂの器体３１を接続モジュール７の前面に取り付けると、導電部材を介して接続モジュール７のメディアコンバート部２１および電力変換部２２と各モジュール３０ａ，３０ｂの内部回路との間が電気的に接続されるようになっており、各モジュール３０ａ，３０ｂが接続モジュール７を介して電力の受電および情報信号の授受を行うのである。また照明モジュール３０ａは器体３１の前面に透光カバー３２が設けられ、器体３１の内部には透光カバー３２に臨ませてＬＥＤのような光源が収納されている。またセンサモジュール３０ｂは、人体から放射される熱線を検知することで人の存否を検出する焦電型の赤外線検出素子からなる人感センサ（図示せず）を具備しており、器体３１の前面には赤外線に対して透光性を有するドーム状の受光カバー３３が配設され、この受光カバー３３を通過した熱線が器体３１内部に収納した人感センサに入射するようになっている。
【００３０】
ここで、照明モジュール３０ａおよびセンサモジュール３０ｂを配線モジュール４に取り付けた状態では、各モジュール３０ａ，３０ｂが配線モジュール４の導電体６ａ，６ｂを介して情報信号の授受を行えるようになっており、例えばセンサモジュール３０ｂで人を検知すると、その検知信号が照明モジュール３０ａに送信され、検知信号を受信した照明モジュール３０ａが光源を点灯させることで、両モジュール３０ａ，３０ｂを連系して動作させることができるのである。
【００３１】
なお図８に示す例では接続モジュール７の前面に取付手段を介して照明モジュール３０ａおよびセンサモジュール３０ｂの器体３１を取り付けているが、接続モジュール７とネットワーク機器（照明モジュール３０ａやセンサモジュール３０ｂ、或いは、モデムやハブやルータなどの通信機器）を一体に形成しても良く、また照明モジュール３０ａやセンサモジュール３０ｂを接続モジュール７と別置きにし、両モジュール３０ａ，３０ｂと接続モジュール７との間をケーブル９を介して電気的に接続しても良い。
【図面の簡単な説明】
【００３２】
【図１】本実施形態の配線システムを示し、（ａ）は配線モジュールに接続モジュールを取り付ける前の状態の分解斜視図、（ｂ）は配線モジュールに接続モジュールを取り付けた状態の外観斜視図である。
【図２】（ａ）は同上に用いる配線モジュールの正面図、（ｂ）は側面図である。
【図３】（ａ）（ｂ）は同上に用いる配線モジュールの要部拡大斜視図である。
【図４】同上に用いる接続モジュールを示し、（ａ）は正面図、（ｂ）は側面図である。
【図５】（ａ）（ｂ）は同上の配線モジュールの他の例を説明する説明図である。
【図６】同上の配線システムの概略的なシステム構成図である、
【図７】同上の配線システムに用いる接続モジュールの概略ブロック図である。
【図８】同上の配線システムの他の構成例を示す説明図である。
【符号の説明】
【００３３】
４  配線モジュール
５  配線モジュール本体
６ａ，６ｂ  導電体
７  接続モジュール
８  ネットワーク機器
９  接続ケーブル
１７ａ，１７ｂ  接点部
１００  造営材
【図１】
2008251504.tif 000003
【図２】
2008251504.tif 000004
【図３】
2008251504.tif 000005
【図４】
2008251504.tif 000006
【図５】
2008251504.tif 000007
【図６】
2008251504.tif 000008
【図７】
2008251504.tif 000009
【図８】
2008251504.tif 000010